(57)【要約】  症状治療システムが、治療信号を提供するように構成された制御ユニットと、治療信号を受信するように制御ユニットに結合された治療ユニットとを含む。治療ユニットは、治療ユニットを患者に伝達するように患者に装着される。
2014525283.tif 000002
【特許請求の範囲】
【請求項１】
痛み管理システムであって、
治療信号を提供するように構成された制御ユニットと、
前記治療信号が患者に伝送されるように、前記制御ユニットおよび患者を相互接続する治療ユニットと、
制御ユニット搭載体とを備え、前記制御ユニット搭載体が、前記患者の耳の所定箇所で前記制御ユニットを前記患者の耳に選択的に装着するための手段を提供するように構成され、前記治療ユニットが、前記制御ユニットと前記耳とに装着され、それにより、前記制御ユニットから前記治療ユニットを介して前記耳への前記治療信号の伝達に応答して、療法治療を前記患者に提供することができる、痛み管理システム。
【請求項２】
前記制御ユニット搭載体が、前記制御ユニットに結合され、前記制御ユニットから半径方向に延在するように配置された搭載受け部と、前記搭載受け部から接線方向に延在するように前記搭載受け部に取り付けられた搭載腕部とを含む、請求項１に記載の痛み管理システム。
【請求項３】
前記搭載腕部が、前記搭載腕部の保持端部が前記制御ユニットに対して離隔して位置されるべく、前記制御ユニットの周りに曲線状に延びるように配置される、請求項２に記載の痛み管理システム。
【請求項４】
前記制御ユニットが、構成要素スペースを中に含むように形成された制御ユニットハウジングと、前記構成要素スペース内に位置するように配置された電源と、前記制御スペース内に位置するように配置され、治療信号を提供するように前記電源に結合された制御ボードとを含む、請求項１に記載の痛み管理システム。
【請求項５】
前記制御ユニットハウジングが、前記制御ボードに結合される接地板を含み、前記接地板が、電気回路を形成すべく前記患者の皮膚に接触するように配置され、前記電気回路が前記電源と、前記制御ボードと、前記接地板と、前記患者とを含む、請求項２に記載の痛み管理システム。
【発明の詳細な説明】
【背景技術】
【０００１】
本開示は、療法デバイスに関し、特に、ヒトに使用するための療法デバイスに関する。より詳細には、本開示は、痛み、鬱状態、不安、および不眠の症状を治療するためのシステムに関する。
【発明の概要】
【課題を解決するための手段】
【０００２】
症状治療システムが、治療信号を提供するように構成された制御ユニットと、制御ユニットに結合され、治療信号を患者に伝送するように構成された治療ユニットとを含む。制御ユニットは、患者に装着されて、患者と共に移動する。
【０００３】
例示的実施形態では、症状治療システムは、さらに、制御ユニット搭載体を備える。制御ユニット搭載体は、制御ユニットに結合され、患者の耳の一箇所で制御ユニットを患者の耳に選択的に装着するための手段を提供するように構成され、治療ユニットが、制御ユニットと患者との両方に装着され、それにより、治療信号が、制御ユニットから治療ユニットを介して患者に伝達される。
【０００４】
例示的実施形態では、制御ユニットが、構成要素スペースを中に含むように形成された制御ユニットハウジングと、構成要素スペース内に位置するように配置された電源と、制御スペース内に位置するように配置され、治療信号を提供するために電源に結合された制御ボードとを含む。制御ユニットハウジングが、接地板を含み、接地板は、電源と、制御ボードと、接地板と、患者とによって形成される電気回路を完成させるように、制御ボードに結合され、患者の皮膚に接触するように配置される。
【０００５】
本開示の追加の特徴は、現在認識されている本開示を実施する最良の形態を説明する例示的実施形態を考察すれば、当業者には明らかになろう。
【０００６】
詳細な説明では、特に、添付図面に言及する。図４〜図１５は、図１〜図３の症状治療システムを組み立てるための組立て方法を示す一連の図である。図１６〜図２１は、症状治療システムを患者の耳に装着する方法を示す一連の図である。
【図面の簡単な説明】
【０００７】
【図１】本開示による症状治療システムの第１の実施形態の斜視概略図であって、症状治療システムが、患者の耳の後方表面に接触するように配置される１組の３つの接地端子を有する円筒形の制御ユニットと、患者の耳の前方表面に取り付けられるように構成された１組の治療アプリケータを含む治療ユニットと、患者の耳に制御ユニットが取り付けられるように患者の耳の前方表面に引っ掛かるように配置されるＣ字形搭載体とを含み、それにより、療法が患者に提供されるように、制御ユニットによって提供される電気的刺激を治療アプリケータに伝達することができることを示す図である。
【図２】制御ユニットに結合されたＣ字形搭載体を示す図１の症状治療システムの背面斜視図である。
【図３】図１および図２の症状治療システムの分解組立図であって、症状治療システムが、左上から右下に、Ｃ字形搭載体と、上側搭載殻部と、電源キャリアと、１組の３つの電池と、制御ボードと、１組の３つの接地端子を有する接地板を含む制御ユニット基部と、接地板の周りにオーバーモールドされた基部殻部と、プラグ受けと、ワイヤハーネスプラグ、３つの接続ワイヤ、および３つの治療アプリケータを含む治療ユニットとを含むことを示す図である。
【図４】制御ボード圧入接続部を使用して制御ボードが制御ユニット基部に結合される第１の組立て操作を示す拡大斜視概略図であって、接地板オーバーモールド接続部によって接地板が基部殻部に結合されることを示唆する図である。
【図５】前記第１の組立て操作が完了した後に制御ユニット基部に結合された制御ボードを示す図４と同様の図である。
【図６】電源キャリアスナップ嵌め接続部によって電源キャリアが制御ユニット基部に結合される第２の組立て操作を示す拡大斜視概略図である。
【図７】第２の組立て操作が完了した後に制御ユニット基部に結合された電源キャリアを示す図６と同様の図である。
【図８】図７の８−８線に沿って取られた断面図であって、接地板に含まれるキャリア保持具受取部と係合された、電源キャリアに含まれるキャリア保持具を示し、また、基部殻部が、接地板の周りにオーバーモールドされ、１組の端子穴を含むように形成され、端子穴を通して、接地板の接地端子が、患者の耳の後方表面に接触するように延在するように配置されることを示す図である。
【図９】プラグ受け圧入接続部によってプラグ受けが制御ユニット基部および電源キャリアに結合される第３の組立て操作を示す拡大斜視概略図である。
【図１０】第３の組立て操作が完了した後に制御ユニット基部および電源キャリアに結合されたプラグ受けを示す図９と同様の図である。
【図１１】電池スナップフィット接続部によって、１組の電池に含まれる各電池が、電源キャリアに含まれる関連の電池受けに結合される第４の組立て操作を示す拡大斜視概略図である。
【図１２】第４の組立て操作が完了した後に電源キャリアに結合された１組の３つの電池を示す図１１と同様の図である。
【図１３】搭載殻部スナップ嵌め接続部によってＣ字形搭載体および搭載殻部が制御ユニット基部に結合される第５の組立て操作を示す拡大斜視概略図である。
【図１４】第５の組立て操作が完了した後に制御ユニット基部に結合された搭載殻部およびＣ字形搭載を示す図１３と同様の図である。
【図１５】図１４の１５−１５線に沿って取った断面図である。
【図１６】Ｃ字形搭載体を使用して制御ユニットが患者の耳に装着される前の、図１および図２の症状治療システムを示す背面斜視図である。
【図１７】Ｃ字形搭載体を使用して制御ユニットが患者の耳に装着される前の、症状治療システムを示す右側面図である。
【図１８】Ｃ字形搭載体を使用して患者の耳に装着された制御ユニットを示す図１６と同様の図である。
【図１９】Ｃ字形搭載体を使用して患者の耳に装着された制御ユニットを示し、図２０および図２１で示唆されるような患者の耳への３つの治療アプリケータの装着を示唆する図１７と同様の図である。
【図２０】患者の耳に装着された制御ユニットを示し、３つの治療アプリケータが患者の耳の前方表面の３つの個別の位置にそれぞれ装着されていることを示す図１９と同様の図である。
【図２１】患者の耳の前方表面に装着された治療アプリケータを示す図１８と同様の図である。
【図２２】本開示による症状治療システムの別の実施形態の斜視概略図であって、症状治療システムが、円筒形制御ユニットと、患者の耳の前方表面に前もって刺された関連の１組の針と係合するように構成された１組の治療アプリケータを含む治療ユニットと、Ｃ字形搭載体とを含む図である。
【図２３】図２２の症状治療システムの背面斜視図である。
【発明を実施するための形態】
【０００８】
図１〜図３に、本開示の第１の実施形態による症状治療システム１０が示されている。図２２および図２３に、別の実施形態による症状治療システム２１０が示されている。図１６〜図２１に、療法を患者に提供することができるように症状治療システム１０を患者の耳１２に装着する例示的な方法が示されている。図４〜図１５に、症状治療システム１０を組み立てるために使用される例示的な組立て方法が示されている。
【０００９】
図１および図２に示されるように、痛み管理システム１０は、制御ユニット１４と、制御ユニット１４に結合された治療ユニット１６と、制御ユニット搭載体１８とを含む。図２０および図２１に示されるように、制御ユニット搭載体１８は、患者の耳１２の一箇所で制御ユニット１４を患者の耳１２に選択的に装着するための手段を提供するように構成され、治療ユニット１６が、制御ユニット１４と患者の耳１２とに装着され、それにより、制御ユニット１４から治療ユニット１６を介して患者の耳１２に療法治療を伝達することができる。
【００１０】
図３に示されるように、制御ユニット１４は、例えば、制御ユニットハウジング２０と、電源ユニット２２と、制御ボード２４とを含む。制御ユニットハウジング２０は、構成要素スペース２６を含むように形成され、構成要素スペース２６は、電源ユニット２２と制御ボード２４とを内部に受け取るように構成される。電源ユニット２２と制御ボード２４は、治療信号を発生して治療ユニット１６を送信するための手段を提供するように協働する。一例として、治療信号は、患者の皮膚に約４．２Ｖを与え、皮膚内または皮下の領域に約３．８Ｖを与える。治療信号は、約１Ｈｚ〜約１００Ｈｚの範囲内の周波数で患者に提供されることがある。
【００１１】
図３に示されるように、制御ユニットハウジング２０は、上側搭載殻部２８と、下側制御ユニット基部３０とを含む。下側制御ユニット基部３０は、プラグ穴３２を含むように形成され、プラグ穴３２は、構成要素（部品）スペース２６に連通するように配置される。構成要素スペース２６は、上側搭載殻部２８と下側制御ユニット基部３０とによって画定される。
【００１２】
図３に示されるように、下側制御ユニット基部３０は、基部殻部３４と、接地板３６とを含む。基部殻部３４は、接地板オーバーモールド接続部７０によって接地板３６に結合される。図１で示唆され、図３に示されるように、接地板３６は、１組（３８）の３つの接地端子３８１、３８２、３８３を含む。図１および図３に示されるように、基部殻部３４は、１組（４２）の端子穴４２１、４２２、４２３を含むように形成される。図１６〜図１９で示唆されるように、接地端子３８１、３８２、３８３は、構成要素スペース２６から出て患者の耳１２の後方表面１２１に向かって延出し、患者の耳１２の後方表面１２１に接触するように配置される。
【００１３】
図２０および図２１で示唆されるように、接地端子３８１、３８２、３８３は、電源ユニット２２および制御ボード２４と協働して、電気回路を完成させ、療法を患者に提供できるようにする。図３に示されるように、電源ユニット２２は、電源４４と、電源キャリア４６と、プラグ受け４８とを含む。電源４４は、例えば、３つのボタン型電池４４１、４４２、４４３を含む。図１１および図１２に示されるように、電源４４は、電源キャリア４６内に保持され、各電池４４１、４４２、４４３が制御ボード２４に電気的に結合されるように配置される。図９および図１０に示されるように、プラグ受け４８は、プラグ穴３２を通って延在するように配置されて、プラグ受け圧入接続部５０によって制御ユニット基部３０に結合する。
【００１４】
プラグ受け４８は、電源ユニット２２および制御ボード２４によって発生される治療信号を患者の耳１２に伝送できるように、治療ユニット１６を制御ユニット１４に相互接続部させるように構成される。図１〜図３に示されるように、治療ユニット１６は、例えば、ワイヤハーネスプラグ５２と、ワイヤハーネス５４と、１組５６の治療アプリケータ５６１、５６２、５６３とを含む。ワイヤハーネス５４は、例示として、第１、第２、および第３の接続ワイヤ５４１、５４２、５４３を含む。各接続ワイヤ５４１、５４２、５４３は、関連の治療アプリケータ５６１、５６２、５６３に結合された遠位端と、ワイヤハーネスプラグ５２に結合された反対側の近位端とを含む。ワイヤハーネスプラグ５２は、プラグ穴３２を通ってプラグ受け４８内に延在するように配置され、それにより、各ワイヤ５４１、５４２、５４３および関連の治療アプリケータ５６１、５６２、５６３が、治療信号を受信するように制御ボード２４および電源ユニット２２に電気的に結合される。
【００１５】
患者の耳１２への治療信号の印加中、制御ユニット１４は、患者の耳１２に取り付けられる。制御ユニット１４は、制御ユニット搭載体１８を使用して患者の耳１２に取り付けられ、制御ユニット搭載体１８は、図１〜図３に示されるように、搭載受け部６０と、搭載腕部６２とを含む。図２に示されるように、搭載受け部６０は、上側搭載殻部２８に結合され、搭載殻部２８から半径方向５８に延在するように配置される。図１５に示されるように、搭載腕部６２は、搭載受け部６０に取り付けられ、搭載受け部６０から接線方向６４に延在するように配置される。搭載腕部６２は、制御ユニット１４の周りに曲線状に延び、搭載腕部６２の保持端部６２１を第２の接地端子３８２の下に離隔して位置させる。図１８〜図２１に示されるように、制御ユニット１４が患者の耳１２に取り付けられるとき、接地端子３８１、３８２、３８３が、患者の耳１２の後方表面１２１に引っ掛かって触れ、搭載腕部６２の保持端部６２１が、患者の耳１２の前方表面１２２に引っ掛かって嵌まる。
【００１６】
図３に示されるように、搭載受け部６０は、第１の搭載柱６０１と、第２の搭載柱６０２と、バンド６０３とを含む。第１の搭載柱６０１は、バンド６０３の一端に結合され、第２の搭載柱６０２は、バンド６０３の反対側の端部に結合される。各搭載柱６０１、６０２は、搭載殻部２８に形成された関連の柱受け６５、６６内に延在するように配置される。一例として、搭載柱６０１、６０２は、スナップ嵌め接続、接着剤、または任意の他の適切な代替手段によって搭載殻部２８に結合されることがある。
【００１７】
搭載腕部６２は、保持端部６２１を含み、保持端部６２１は、患者の耳１２の前方表面１２２に引っ掛かるように配置されて、患者の耳１２が、接地柱３８１、３８２、３８３と、搭載腕部６２の保持端部６２１との間に挟持されるようにする。図３に示されるように、保持端部６２１は、腕部ストリップ（細長片）６２２によって搭載受け部６０に結合される。腕部ストリップ６２２の第１の端部は、搭載受け部６０に取り付けられ、保持端部６２１は、腕部ストリップ６２２の反対側の第２の端部に取り付けられる。
【００１８】
制御ユニット１４は、図４〜図１５に示される例示的な組立てプロセスで組み立てられる。図４および図５に示されるように、第１の組立て操作において、制御ボード２４が、制御装置ボード圧入接続部７１を使用して制御ユニット基部３０に結合される。制御ボード２４は、第１の面２４１と、反対側の第２の面２４２とを含む。第１の面２４１は、基部殻部３４に面するように配置される。図４および図５に示されるように、制御ボード２４は、さらに、第１の面２４に結合された制御チップ２４６と、第１の面２４１に結合され、制御ボード２４と接地板３６とを相互接続するように構成された接地インターフェース２４７とを含む。
【００１９】
制御チップ２４６は、治療信号が提供されるように電源ユニット２２と治療ユニット１６とを相互接続する。第２の面２４２は、第１の面２４１とは反対側に面し、第１、第２、および第３の電力インターフェース２４３、２４４、２４５を含む。図４に示されるように、各電力インターフェース２４３、２４４、２４５は、負極端子２４３Ａと正極端子２４３Ｂを含む。各負極端子２４３Ａ、２４４Ａ、２４５Ａは、一例として、関連の電池の負極側に電気的に結合するように構成された丸いパッドである。各正極端子２４３Ｂ、２４４Ｂ、２４５Ｂは、一例として、関連の電池の正極側に電気的に結合するように構成された直立ピンである。
【００２０】
図６〜図８に示されるように、第２の組立て操作で、電源キャリア４６が、電源スナップ嵌め接続部７２を使用して制御ユニット基部３０の接地板３６に結合される。電源スナップ嵌め接続部７２は、電源キャリア４６に含まれるキャリア保持具４６１を、接地板３６に含まれるキャリア保持具受取部３８４と係合させることにより得られる。
【００２１】
図９および図１０に示されるように、第３の組立て操作で、プラグ受け４８が、プラグ穴３２を通って延在し、プラグ受け圧入接続部５０によって制御ユニット基部３０に結合するように配置される。また、プラグ受け４８は、制御ボード２４の第２の面２４２に含まれる信号出力パッド６８に結合される。一例として、プラグ受け４８は、導電性接着剤、はんだ、または任意の他の適切な代替手段によって制御ボード２４に結合されることがある。
【００２２】
図１１および図１２に示されるように、第４の組立て操作で、電源４４に含まれる各電池４４１、４４２、４４３が、関連の電源スナップ嵌め接続部８１によって電源キャリア４６に結合される。電源スナップ嵌め接続部８１は、電源キャリア４６に含まれている電池保持具８１１、８１２、８１３により得られる。各電池保持具８１１、８１２、８１３は、各電池４４１、４４２、４４３に関連付けられる。また、電源キャリア４６は、プラグ受け穴７４を含むように形成され、プラグ受け穴７４は、電源キャリア４６を通って開くように配置され、導電性接着剤またははんだをプラグ受け４８に塗布するための手段を提供するように構成される。
【００２３】
各電池保持具８１１、８１２、８１３は、電池保管スペース４６３と、電池保管スペース４６３に連通するように配置された電池設置穴４６４と、電池保管スペース４６３に連通するように配置された電池接触穴４６５とを含むように形成され、それにより、関連の電池の負極側が、各関連の負極端子２４３Ａ、２４４Ａ、２４５Ａと電気接触する。一例として、図１１および図１２に示されるように、各電池４４１、４４２、４４３は、電池設置穴４６４を通して、電池保管スペース４６３内へ下方向に押される。
【００２４】
図１２および図１４に示されるように、第５の組立て操作で、上側搭載殻部２８と、相互接続された制御ユニット搭載体１８とが、カバースナップ嵌め接続部７３によって基部殻部３４に結合される。搭載殻部２８は、搭載殻部本体２８１と、４つの搭載殻部柱２８２、２８３、２８４、２８５とを含み、搭載殻部柱２８２、２８３、２８４、２８５は、搭載殻部２８の四隅に配置され、搭載殻部本体２８１から構成要素スペース２６内に延在するように配置される。一例として、各搭載殻部柱２８２、２８３、２８４、２８５は、電源キャリア４６に形成された関連の柱受取部２８２Ｒ、２８３Ｒ、２８４Ｒ、２８５Ｒに係合するように配置される。搭載殻部柱２８２、２８３、２８４、２８５と、関連の柱受取部２８２Ｒ、２８３Ｒ、２８４Ｒ、２８５Ｒとは、痛み管理システム１０の組立ておよび動作中に、電源キャリア４６および電源４４を保持するように動作する。
【００２５】
制御ユニット１４が組み立てられた後、次いで、ワイヤハーネスプラグ５２をプラグ受け４８に挿入することによって、治療ユニット１６が制御ユニット１４に結合される。ここで、痛み管理システム１０は、図１６〜図２１に示されるように患者の耳１２に着用する準備が整う。図１６および図１７に示されるように、第１の着用段階で、制御ユニット１４は、接地端子３８１、３８２、３８３が患者の耳１２の後方表面１２１に引っ掛かるように、かつ制御ユニット搭載体１８の搭載腕部６２が患者の耳の前方表面１２２に引っ掛かるように向きを定められる。
【００２６】
図１８および図１９に示されるように、第２の着用段階で、制御ユニット１４は、搭載腕部６２の保持端部６２１と制御ユニット１４に含まれる接地端子３８１、３８２、３８３との間に患者の耳１２が位置されるように、患者の耳１２に位置決めされる。それと同時に、図１９に示されるように、接続ワイヤ５４１、５４２、５４３および治療アプリケータ５６１、５６２、５６３が、ワイヤハーネスプラグ５２によって制御ユニット１４に結合され、下方向７６に垂れ下がっている。
【００２７】
図１９で示唆され、図２０および図２１に示されるように、第３の着用段階で、治療ユニット１６は、患者の耳１２に装着される。一例として、第１の治療アプリケータ５６１は、患者の耳１２の第１の位置に移動され、第１の位置で患者の耳１２に装着される。第２の治療アプリケータ５６２は、患者の耳１２の第２の位置に移動され、第１の位置から離隔された第２の位置で患者の耳１２に装着される。第３の治療アプリケータ５６３は、患者の耳１２の第３の位置に移動され、第１の位置からも第２の位置からも離隔された第３の位置で患者の耳１２に装着される。一例として、第１の位置は、患者の耳１２の上部１２３にあり、第３の治療位置は、患者の耳の下部１２５にあり、第３の治療位置は、上部位置１２３と下部位置１２５との間の患者の耳１２の中央部分１２４にある。
【００２８】
一実施形態では、治療アプリケータ５６１、５６２、５６３は、治療信号が皮膚内に入って患者に療法を提供することができるように患者の皮膚に装着される電極である。別の実施形態では、治療アプリケータは、関連の接続ワイヤから患者の皮膚および接着剤層に治療信号を伝送するように構成された導電性パッドを含む。導電性パッドは、直径が約３／８インチであり、カーバイド（炭化物）添加ビニル樹脂からなる。接着剤層は、パッドの第１の面に塗布され、導電性パッドを患者の皮膚に取外し可能に貼着するように構成される。
【００２９】
さらに別の実施形態では、治療アプリケータは、導電性パッドと、接着剤層と、針とを含む。針は、導電性パッドに結合され、患者の皮膚に向かって患者の皮膚内に延びるように配置されて、患者の皮膚内への治療信号の伝送を最大限にする。さらに別の実施形態では、治療アプリケータは、導電性パッドと、接着剤層と、金属ビード（粒子）とを含み、金属ビードは、導電性パッドに塗布され、患者の皮膚に向かって延在して、患者の皮膚と接触するように配置されて、患者の皮膚内への治療信号の伝送を最大限にする。
【００３０】
痛み管理システム２１０の別の実施形態が、図２２および図２３に示されている。図１および図２に示されるのと同様に、痛み管理システム２１０は、制御ユニット１４と、制御ユニット１４に結合された治療ユニット２１６と、制御ユニット搭載体１８とを含む。図２２および図２３に示されるように、治療ユニット２１６は、例えば、ワイヤハーネスプラグ５２と、ワイヤハーネス５４と、１組（２５６）の治療アプリケータ２５６１、２５６２、２５６３とを含む。治療アプリケータ２５６１、２５６２、２５６３は、関連の針と係合するように構成され、これらの針は、患者の耳１２の前方表面１２２に前もって刺されている。一例として、各治療アプリケータ２５６１、２５６２、２５６３は、電源ユニット２２および制御ボード２４によって提供される電気信号を針に伝送するように構成される。
【符号の説明】
【００３１】
１０  症状治療システム、痛み管理システム
１２  患者の耳
１２１  患者の耳１２の後方表面
１２２  患者の耳１２の前方表面
１４  制御ユニット
１６  治療ユニット
１８  制御ユニット搭載体
２０  制御ユニットハウジング
２１０  症状治療システム
２２  電源ユニット
２４  制御ボード
２４１  第１の面
２４２  第２の面
２４３、２４４、２４５  電力インターフェース
２４３Ａ、２４４Ａ、２４５Ａ  負極端子
２４３Ｂ、２４４Ｂ、２４５Ｂ  正極端子
２４６  制御チップ
２６  構成要素スペース
２８  上側搭載殻部
２８１  搭載殻部本体
２８２、２８３、２８４、２８５  搭載殻部柱
３０  下側制御ユニット基部
３２  プラグ穴
３４  基部殻部
３６  接地板
３８１、３８２、３８３  接地端子
３８４  キャリア保持具受取部
４２１、４２２、４２３  端子穴
４４  電源
４４１、４４２、４４３  電池
４６  電源キャリア
４６２  電池保管スペース
４６４  電池設置穴
４６５  電池接触穴
４８  プラグ受け
５０  プラグ受け圧入接続部
５２  ワイヤハーネスプラグ
５４  ワイヤハーネス
５６１、５６２、５６３  治療アプリケータ
６０  搭載受け部
６０１  第１の搭載柱
６０２  第２の搭載柱
６０３  バンド
６２  搭載腕部
６２１  保持端部
６２２  腕部ストリップ
６８  信号出力パッド
７０  接地板オーバーモールド接続部
８１  電源スナップ嵌め接続部
８１１、８１２、８１３  電池保持具
【図１】
2014525283.tif 000003
【図２】
2014525283.tif 000004
【図３】
2014525283.tif 000005
【図４】
2014525283.tif 000006
【図５】
2014525283.tif 000007
【図６】
2014525283.tif 000008
【図７】
2014525283.tif 000009
【図８】
2014525283.tif 000010
【図９】
2014525283.tif 000011
【図１０】
2014525283.tif 000012
【図１１】
2014525283.tif 000013
【図１２】
2014525283.tif 000014
【図１３】
2014525283.tif 000015
【図１４】
2014525283.tif 000016
【図１５】
2014525283.tif 000017
【図１６】
2014525283.tif 000018
【図１７】
2014525283.tif 000019
【図１８】
2014525283.tif 000020
【図１９】
2014525283.tif 000021
【図２０】
2014525283.tif 000022
【図２１】
2014525283.tif 000023
【図２２】
2014525283.tif 000024
【図２３】
2014525283.tif 000025
【国際調査報告】
2014525283.tif 000026
2014525283.tif 000027